【事件の表示】
　特許第３４８０３５２号「即席食品入り容器」の請求項１ないし６に係る特許に対する特許異議の申立てについて、次のとおり決定する。
【結　論】
　訂正を認める。
　特許第３４８０３５２号の請求項１ないし４に係る特許を取り消す。
【理　由】
                               
Ｉ．手続の経緯
　
　本件特許第３４８０３５２号の請求項１乃至６に係る発明についての出願は、平成１１年２月２３日の出願であって、平成１５年１０月１０日にその特許の設定登録がなされ、その後、その特許について異議申立人長谷川三冶子より特許異議の申立がなされ、取消しの理由が通知され、その指定期間内である平成１６年１１月８日に訂正請求がなされたものである。
　
II．訂正請求について
　
１．訂正の内容
　
（１）訂正事項１
　特許請求の範囲の【請求項１】の記載、「容器本体の内部に収納された即席食品、および容器保持具を同封したことを特徴とする、即席食品入り容器。」を、「容器本体の内部に収納された即席食品、および紙製の凹凸を有する材料と平坦な材料との積層構造として保持具自体に断熱空間を形成した構成の容器保持具を同封したことを特徴とする、即席食品入り容器。」と訂正する。
（２）訂正事項２
　明細書の段落【０００５】の記載、「・・・容器本体の内部に収納された即席食品、および容器保持具を同封したことを特徴とする、即席食品入り容器。・・・」を「・・・容器本体の内部に収納された即席食品、および紙製の凹凸を有する材料と平坦な材料との積層構造として保持具自体に断熱空間を形成した構成の容器保持具を同封したことを特徴とする、即席食品入り容器。・・・」と訂正する。
（３）訂正事項３
　明細書の段落【００１１】の記載、「この容器保持具４に断熱性を付与する手段として、紙製の保持具の場合、ａ）凹凸を有する材料を用い、容器本体の外側に取り付けた時、容器本体と保持具の間に断熱空間を形成する構成、ｂ）凹凸を有する材料と平坦な材料との積層構造とし，保持具自体に断熱空間を形成した構成、ｃ）平坦な材料の少なくとも片面に発泡樹脂層を形成した構成、ｄ）平坦な材料で、把手部が組み立てられるようにした構成がある。プラスチック製の場合、ａ）発泡樹脂製材料からる構成、ｂ）樹脂成型品を用いた構成がある。」を、「この容器保持具４に断熱性を付与する手段として、紙製の保持具であり、凹凸を有する材料と平坦な材料との積層構造とし，保持具自体に断熱空間を形成した構成である。」と訂正する　
（４）訂正事項４
　特許請求の範囲の請求項３および請求項４を削除する。
（５）訂正事項５
　明細書の段落【０００６】の記載中の「請求項３に記載の発明は、前記容器内に収納された容器保持具が、断熱性を有する材料からなることを特徴とする、即席食品入り容器である。請求項４に記載の発明は、前記容器保持具を紙製の断熱性を有する材料としたことを特徴とする、即席食品入り容器である。」の記載を削除する。
（６）訂正事項６
　特許請求の範囲の請求項５および請求項６を、請求項３および請求項４とし、更に請求項５および請求項６の引用請求項から請求項３および請求項４を除く。
（７）訂正事項７
　明細書の段落【０００６】の記載中の請求項５および請求項６を、請求項３および請求項４と訂正する。
（８）訂正事項８
　明細書の段落【０００５】の記載「徴とする即席食品入り容器である。」を削除する。
　
２．訂正の適否
　
（１）訂正事項１について
　訂正事項１は、訂正前の請求項１記載の「容器保持具」を、「紙製の凹凸を有する材料と平坦な材料との積層構造として保持具自体に断熱空間を形成した構成の容器保持具」と訂正するもので、容器保持具を限定するものであって、特許請求の範囲の減縮を目的とするものに該当する。
　そして、特許明細書の段落【００１１】には、「この容器保持具４に断熱性を付与する手段として、紙製の保持具の場合、ａ）凹凸を有する材料を用い、容器本体の外側に取り付けた時、容器本体と保持具の間に断熱空間を形成する構成、ｂ）凹凸を有する材料と平坦な材料との積層構造とし，保持具自体に断熱空間を形成した構成、ｃ）平坦な材料の少なくとも片面に発泡樹脂層を形成した構成、ｄ）平坦な材料で、把手部が組み立てられるようにした構成がある。・・・」と記載されているから、上記訂正事項は、願書に添付した明細書に記載した事項の範囲内のものである。
　また、上記訂正事項が、実質上特許請求の範囲を拡張し、または変更するものではないことは明らかである。
（２）訂正事項２乃至７について
　訂正事項２乃至７は、上記訂正事項１による特許請求の範囲の減縮に伴い、特許請求の範囲或いは発明の詳細な説明を整合させるものであるから、明りょうでない記載の釈明を目的とするものに該当する。
　そして、上記訂正事項は、願書に添付した明細書に記載した事項の範囲内のものであり、また、上記訂正事項が、実質上特許請求の範囲を拡張し、または変更するものでないことは明らかである。
（３）訂正事項８について
　訂正事項８は、誤記の訂正を目的とするものに該当し、そして、上記訂正事項は、願書に添付した明細書に記載した事項の範囲内のものであり、また、上記訂正事項が、実質上特許請求の範囲を拡張し、または変更するものでないことは明らかである。　
　
３．むすび
　
　以上のとおりであるから、本件訂正は、特許法１２０条の４第２項及び同条第３項で準用する１２６条第２項及び第３項の規定に適合するので、請求のとおり当該訂正を認める。
　
III．特許異議申立についての判断
　
１．本件発明
　
　上記II．に示したように上記訂正は認められるから、訂正後の本件請求項１乃至４に係る発明（以下、「本件発明１乃至４」という。）は、上記訂正請求により訂正された特許請求の範囲の請求項１乃至４に記載された事項により特定される、以下のとおりのものである。
「【請求項１】容器本体の内部に収納された即席食品、および紙製の凹凸を有する材料と平坦な材料との積層構造として保持具自体に断熱空間を形成した構成の容器保持具を同封したことを特徴とする、即席食品入り容器。
【請求項２】前記即席食品が、個包装されていることを特徴とする、請求項１記載の即席食品入り容器。
【請求項３】前記容器保持具が、スリーブ状構造であることを特徴とする、請求項１または請求項２に記載の即席食品入り容器。
【請求項４】前記容器保持具が、個包装されていることを特徴とする、請求項１ないし請求項３のいずれか１項に記載の即席食品入り容器。」
　
２．引用刊行物に記載された発明　
　
　当審が平成１６年８月３０日付で通知した取消しの理由で引用した刊行物１乃至２には、以下の事項が記載されている。　
　 
刊行物１：実用新案登録第２５４８６７８号公報 
（１−１）紙を基材としその片面又は両面にバリヤ層を設けた複合紙を用いて成形された紙カップと、紙等を用いて成形され、接着剤層を有する蓋材とから構成された容器において、前記紙カップの胴壁表面にさや状に巻きつけ得るように形成した不織布製の断熱シート材を折畳み状態で該紙カップの内部に収容したことを特徴とする断熱容器。(【実用新案登録請求の範囲】【請求項１】)
（１−２）従来、断熱容器として、筒状をした発泡シートを紙カップの外表面に巻くものが提案されている（特公昭 60−2179号参照）。また紙容器の外表面に熱発泡塗料を塗布し、その塗布面を加熱して熱発泡物質を発泡させて容器外表面に断熱効果を付与させたものも既に知られている（実開昭 60−193081号参照）。更にまた容器に段ボールの中しん材であるコルゲート紙を巻きつけたものも知られている。（段落【０００４】)
（１−３）しかし上記の容器外表面に塗布した熱発泡塗料を発泡させて容器に断熱効果を付与させたものは、製造加工作業が複雑化し、製造コストも高くつくほか、容器外表面にカラフルで美麗な印刷を施すことが出来ないという問題がある。また容器外表面の断熱作用が十分といえず、容器の中に熱湯を入れると、その外部は熱くて冷めるまで暫く持つことが出来ない。一方、発泡シートやコルゲート紙を紙カップの外表面に巻くものは、発泡シートやコルゲート紙自体に嵩がありかつ小さく折畳むことができない。したがって、このものは包装の際に別に添付しなければならず、カップ容器内にめんと一緒に収納して販売できないという商品管理上の不便がある。（段落【０００５】)
（１−４）ここにおいて本考案者は、ゴミ処理及びリサイクルが容易でかつ小さく折畳むことが可能な不織布に着目して本考案を完成したものである。不織布は安価なセルロ−ス繊維等を用いてこれをシ−ト状に厚く絡ませて形成させたものであるから、紙と同様に焼却処理や再使用が容易であり、かつこの不織布は繊維間に空気を含んでいるため適度な断熱性を有している。そこでこの不織布を用いることにより紙カップの胴壁表面にさや状巻きつけ得る断熱シ−ト材を形成することで、上記の問題点を克服したものである（段落【０００６】)
（１−５）以上のごとく構成されている本考案の容器は、紙カップ１の外表面に任意形態の美麗な印刷を施して販売することができる。紙カップ１内に熱湯を入れてめんと調味料類を湯戻しするときには、該紙カップ内またはカップ底部６の凹陥部７内に小さく折畳んだ状態で収容した不織布製断熱シート材３を取り出して筒状に拡げ、図４と図５に示すごとくその内側に前記紙カップ１を挿入して紙カップの胴壁表面にさや状に巻きつけるのである。前記した通りカップにさや状に巻きつけた不織布製の断熱シート材３は、繊維間に空気を含んでいるため適度な断熱性を有している。また紙カップ１と外に巻き付けた断熱シート３との間に空間が出来て断熱作用が助長される利点がある。（段落【００１０】)
（１−６）【実施例】　次に本考案の実施例を図面を参照して具体的に説明する。図１は本考案容器の一実施例を示す断面図であり、符号１は紙を基材とし、その片面又は両面に樹脂コート層又はアルミなどの金属薄膜層で形成したバリヤ層を設けた複合紙を用いて成形された紙カップである。この紙カップには、一例として、油処理その他の方法で乾燥された中華麺とかやく、調味料類を含む食品２が内蔵されている。３は上記の紙カップ内に食品と一緒に収納された不織布製断熱シート材である。この断熱シート材３は展開状態では円弧状ブランクであり、図２及び図３に示したように、使用に当たって、予め前記紙カップ１の胴壁表面にさや状に巻きつけ得るように円錘管形に封筒貼りされ、これを小さく折畳み包装した状態で図１のように紙カップ内に内蔵させる。ちなみに前記の断熱シート材３は、木材繊維、合成繊維を含むセルロース繊維を材料とし、乾式法で形成した不織布を用いることを可とするが、これに限るものではない。符号４はアルミ、樹脂、紙等を用いて成形され、接着剤層を有する蓋材であり、紙カップ１のトップ口縁部５に接着し、これを密封している。（段落【０００８】)
（１−７）第１図には、包装された乾燥食品２が紙カップ内に収納されている状態が図示されている。
　
刊行物２：実開平６−７２４７７号公報
（２−１）紙製カップの胴部外周に、エンボス加工を施した帯紙を接着してなる、断熱性紙カップ。（【実用新案登録請求の範囲】【請求項１】)
              　　
３．対比・判断　
　
（本件発明１について）  
　本件発明１は、即席食品入り容器に、紙製の凹凸を有する材料と平坦な材料との積層構造として保持具自体に断熱空間を形成した構成の容器保持具を同封したことにより、使用時に手で容器を持って食することを可能とするものである。 
　上記刊行物１（以下、「引用例」という。）には、上記記載事項から「容器本体の内部に収納された即席食品、および紙カップの胴壁表面にさや状に巻きつけ得るように形成し、繊維間に空気を含んでいるため適度な断熱性を有する不織布製の断熱シート材を、折畳み状態で該紙カップの内部に収容した断熱容器。」が記載されているといえる。
　そこで、本件発明１と上記刊行物１に記載された発明（以下、「引用例発明」という。）とを比較すると、後者の「不織布製の断熱シート材」は、上記記載事項（１−４）のとおり、「紙カップの胴壁表面にさや状に巻きつけ得るように形成し、繊維間に空気を含んでいるため適度な断熱性を有する」ものであるから、前者の「保持具自体に断熱空間を形成した容器保持具」に相当する。
　そうすると、両者は、「容器本体の内部に収納された即席食品、および保持具自体に断熱空間を形成した容器保持具を同封した即席食品入り容器。」である点で一致し、相違する点は、「容器保持具」に関して、前者が、「紙製の凹凸を有する材料と平坦な材料との積層構造」であるのに対して、後者が、「不織布製の断熱シート材」である点のみである。
　そこで、この相違点について検討する。
　上記刊行物２には、紙製カップの胴部外周に、エンボス加工を施した帯紙を接着して紙製カップを断熱して、カップを持つ手に強い熱さを感じず、中の飲料は冷め難くすることが記載されている。
　引用例発明も、上記刊行物２に記載された発明も、飲食品容器を断熱して、カップを持つ手に強い熱さを感じないようにすると共に、内容物を冷め難くする技術である点で課題を共通にする。
　そして、引用例には、上記記載事項（１−６）のとおり、断熱シート材３は、木材繊維、合成繊維を含むセルロース繊維を材料とし、乾式法で形成した不織布を用いることを可とするが、これに限るものではないと記載されており、セルロース繊維を含む不織布は紙と素材、形態及び性質において類似するものであり、また、上記記載事項（１−４）のとおり、不織布は、紙と同様に焼却処理や再使用が容易であると記載されていることを考慮すると、引用例には断熱シート材として紙を使用することが示唆されているといえる。一方、上記刊行物２には、紙製カップの胴部外周に、エンボス加工を施した帯紙を接着した断熱性紙カップが記載されており、紙製の断熱性を有する材料を断熱性紙カップの容器保持具の材料とすることが知られているのであるから、廃棄の容易性、加工性等を考慮して、引用例発明の不織布に代えて、上記刊行物２記載の紙を容器保持具の材料として使用することは当業者が直ちに想到するところである。
　ここで、紙の形状・構造は当業者が適宜設計し得るものであって、引用例には、上記記載事項（１−２）のとおり、容器に段ボールの中しん材であるコルゲート紙を巻きつけたものを断熱容器に使用することが従来技術として記載され、そして、片ダンボールのコルゲート紙をカップの断熱材料として使用することは周知のことであるから（必要なら、実用新案登録公報第２５６７９４２号参照。）、折り畳みやすさ、断熱性、加工性等を考慮して、帯紙の構造を片ダンボールのコルゲート紙と同じ構造の「紙製の凹凸を有する材料と平坦な材料との積層構造」とすることは当業者が適宜なし得るところである。
　そして、本件発明１により得られる、「使用時に手で容器を持って食することを可能とする」という効果も、上記記載事項（１−５）等により、上記刊行物１乃至２に記載された発明から、当業者が予測しうる範囲内のものである。
　したがって、本件発明１は、上記刊行物１乃至２に記載された発明および周知技術に基づいて当業者が容易に発明することができたものである。
　
（本件発明２について）　
　本件発明２は、本件発明１において、即席食品が、個包装されているものであるが、上記記載事項（１−７）のとおり、引用例発明も包装された乾燥食品２が紙カップ内に収納されているものであるから、本件発明２は、本件発明１と同様の理由で、上記刊行物１乃至２に記載された発明および周知技術に基づいて当業者が容易に発明することができたものである。
　
（本件発明３について）
　本件発明３は、本件発明１乃至２において、容器保持具が、スリーブ状構造であるものであるが、上記記載事項（１−６）のとおり、引用例発明も、容器保持具は、胴壁表面にさや状に巻きつけ得るように円錘管形に封筒貼りされたものであり、スリーブ状構造であるといえるから、本件発明３は、本件発明１乃至２と同様の理由で、上記刊行物１乃至２に記載された発明および周知技術に基づいて当業者が容易に発明することができたものである。
　
（本件発明４について）
　本件発明４は、本件発明１乃至３において、容器保持具が、個包装されているものであるが、上記記載事項（１−７）のとおり、引用例発明も乾燥食品を個包装するものであり、容器保持具も同様に個包装することは当業者が適宜なし得るところであるから、本件発明４は、本件発明１乃至３と同様の理由で、上記刊行物１乃至２に記載された発明および周知技術に基づいて当業者が容易に発明することができたものである。
　　
４．まとめ
　
　以上のとおりであるから、訂正後の本件請求項１乃至４に係る発明は、上記刊行物１乃至２に記載された発明および周知技術に基づいて当業者が容易に発明をすることができたものであるから、訂正後の本件請求項１乃至４に係る発明の特許は、特許法２９条第２項の規定に違反してされたものである。
  したがって、訂正後の本件請求項１乃至４に係る発明の特許は、特許法第１１３条第２号に該当し、取り消されるべきものである。
　よって、結論のとおり決定する。
【異議決定日】
平成１７年１月１８日（２００５．１．１８）
【訂正の要旨】
審決（決定）の【理由】欄参照。
（５４）【発明の名称】
即席食品入り容器
（５７）【特許請求の範囲】
　【請求項１】
　容器本体の内部に収納された即席食品、および
紙製の凹凸を有する材料と平坦な材料との積層構造として保持具自体に断熱空間を形成した構成の
　【請求項２】
　前記即席食品が、個包装されていることを特徴とする、請求項１記載の即席食品入り容器。
　【請求項
３
　前記容器保持具が、スリーブ状構造であることを特徴とする、請求項１
または
２
　【請求項
４
　前記容器保持具が、個包装されていることを特徴とする、請求項１ないし請求項
３
【発明の詳細な説明】
　【０００１】
　【発明の属する技術分野】
　本発明は、即席みそ汁、即席スープ、即席麺等の即席食品を収納した容器に関するもので、特に熱湯を入れて、即席食品を食する時に、容器本体を手で持つことがてきるようにした即席食品入り容器に関する。
　【０００２】
　【従来の技術】
　即席みそ汁、即席スープ、即席麺等の即席食品を食する時は、容器内に熱湯を注ぎ、即席食品を食べることができるようにするので、容器本体が熱くなるので、容器本体を手で持つことができるように、容器本体を断熱性のある材料、または構造としていた。
　具体的には、発泡ポリスチレン製容器、二重構造の紙製容器、表面に発泡樹脂層を設けた紙製容器等が挙げられる。
　【０００３】
　しかしながら、発泡ポリスチレン製容器ば、プラスチック製であるため、使用後廃棄する時、分別しなければならない。また、二重構造の紙製容器は、一定の断熱性があり有効であるが、断熱性を向上させるには部材が増えるため、価格がたかくなり、部材を少なくすると断熱性が低下するおそれがあった。さらに表面に発泡樹脂層を設けた紙製容器は、表面に薄い発泡層を設けた構造であるため、容量の大きい場合は、断熱性が不十分となる場合があった。
　【０００４】
　【発明が解決しようとする課題】
　本発明の目的は、価格安価で、しかも使用時に熱湯を容器に注いでも、手で容器を持って食することができる即席食品入り容器を提供することである。
　【０００５】
　【課題を解決するための手段】
　本発明は、容器本体の内部に収納された即席食品、および
紙製の凹凸を有する材料と平坦な材料との積層構造として保持具自体に断熱空間を形成した構成の
　請求項２に記載の発明は、前記即席食品を個包装して収納したことを特徴とする即席食品入り容器である
。
　【０００６】
　
３
　請求項
４
　【０００７】
　【作用】
　即席食品を食するため、容器内に注ぐために蓋を開封した時に、容器内から容器保持具を取り出して、容器本体の外側に取り付けるだけで、断熱性を有する容器として使用可能となる。
　また、容器保持具を個包装しておくことで、食するまでの間、容器保持具が容器本体の内面、および即席食品に接触するおそれがない。
　【０００８】
　【発明の実施の形態】
　図１は、本発明の一実施例を示す断面説明図である。
　１は、容器本体、２は、個包装された即席食品、３は、スプーン、フォーク等の食事用具、４は、容器保持具であり、前記即席食品２、食事用具３、および容器保持具４は、容器本体１の内部に収納され、かつ、容器本体１の開口部は、蓋５により閉鎖されている。
　ここで、容器本体１は、通常の紙製容器、または通常のプラスチック容器で、特別に断熱性を付与しない容器である。
　【０００９】
　なお、即席食品２は、スープ、みそ汁等の場合は、必ず個包装された状態で収納されているが、即席麺のように塊状の場合は、必ずしも個包装されていなくてもよい。
　また、スプーン、フォーク等の食事用具３、および容器保持具４は、個包装することでより衛生的に好ましい状態となる。
　【００１０】
　ここで、容器保持具４は、紙製、プラスチック製のいずれでもよく、断熱性を有する材料、または構造のものであればよく、使用時に、容器本体１の外側に下方から挿入し、手で容器本体１を持つことができるように用いる。
　この容器保持具４は、図２に示すように、容器本体内に収納さている時は，折り畳まれてきて、図３に示すように使用時に所定の形状として容器本体の外側に挿入して使用する。
　また、この容器保持具４に各種印刷、例えば、くじ、クイズ等を施すことで、各種キャンペーンの道具として利用することも可能である。
　【００１１】
　この容器保持具４に断熱性を付与する手段として、紙製の保持具
であり、
で
　【００１２】
　【発明の効果】
　本発明は、以上の構成からなるので、容器本体は、断熱性を有する構造としなくともよく、すなわち容器本体の外側に断熱層を予め設けた構成としなくともよく、容器本体の製造効率がよく、また、新たな製造設備を必要としない。
　そして、即席食品を食するときに、容器本体内に収納されている容器保持具を取り出して、容器本体の外側に挿入して使用することで、容器本体に断熱機能を発揮することができる。
【図面の簡単な説明】
　【図１】
　本発明の一実施例を示す断面説明図である。
　【図２】
　本発明の容器に使用する容器保持具の一例を示す説明図である。
　【図３】
　本発明の容器の使用状態を示す説明図である。
　【符号の説明】
　１・・・容器本体
　２・・・即席食品
　３・・・食事用具
　４・・・容器保持具
　５・・・蓋